(57)【要約】      （修正有）【課題】電子機器の部品点数を低減するバッテリロック部品及びカードロック部品を提供する。【解決手段】電子機器は、筐体と、バッテリ装着部３０と、バッテリロックレバーと、カードコネクタと、カードロック部６６とを備える。バッテリ装着部３０は、筐体に設けられ、バッテリが着脱される。バッテリロックレバーは、筐体に設けられ、バッテリをバッテリ装着部３０に拘束するロック状態と、当該拘束を解除するアンロック状態とに変移される。カードコネクタは、筐体に設けられ、ＳＩＭカードが着脱される。カードロック部６６は、バッテリロックレバーに設けられ、ロック状態においてカードコネクタからのＳＩＭカードの外れを制限し、アンロック状態においてカードコネクタからのＳＩＭカードの外れを許容する。【選択図】図１１
2019036162.tif 000002
【特許請求の範囲】
【請求項１】
筐体と、
前記筐体に設けられ、バッテリが着脱されるバッテリ装着部と、
前記筐体に設けられ、前記バッテリ又は前記バッテリを覆うバッテリカバーを前記バッテリ装着部に拘束するロック状態と、前記拘束を解除するアンロック状態とに変移されるバッテリロック部品と、
前記筐体に設けられ、カードが着脱されるカード装着部と、
前記バッテリロック部品に設けられ、前記ロック状態において前記カード装着部からの前記カードの外れを制限し、前記アンロック状態において前記カード装着部からの前記カードの外れを許容するカードロック部と、
を備える電子機器。
【請求項２】
前記カード装着部は、前記カードが挿入される挿入口を有し、
前記バッテリ装着部は、前記挿入口に通じる引出し口を有する、
請求項１に記載の電子機器。
【請求項３】
前記カードロック部は、前記ロック状態において前記挿入口の前に配置され、前記アンロック状態において前記挿入口の前から外れる、
請求項２に記載の電子機器。
【請求項４】
前記バッテリ装着部は、前記引出し口から引き出された前記カードが配置される引出しスペースを有する、
請求項２又は請求項３に記載の電子機器。
【請求項５】
前記カードロック部は、前記ロック状態において前記カード、又は前記カードが載せられるトレーに係合され、前記アンロック状態において前記カード又は前記トレーから離間する、
請求項１〜請求項４の何れか１項に記載の電子機器。
【請求項６】
前記カードロック部は、前記アンロック状態から前記ロック状態への変移に伴って、該カードロック部を前記カード又は前記トレーに乗り上げさせる傾斜面を有する、
請求項５に記載の電子機器。
【請求項７】
前記バッテリロック部品は、前記カードロック部を支持するとともに、該カードロック部が前記カード又は前記トレーに係合された状態で弾性変形される弾性片部を有する、
請求項５又は請求項６に記載の電子機器。
【発明の詳細な説明】
【技術分野】
【０００１】
本願が開示する技術は、電子機器に関する。
【背景技術】
【０００２】
バッテリが装着されるバッテリ装着部と、メモリカードが装着されるカード装着部と、バッテリ装着部からのバッテリの外れを制限するバッテリロック部品とを備える電子機器がある（例えば、特許文献１参照）。
【０００３】
また、バッテリが装着されるバッテリ装着部と、ＳＩＭカードが装着されるカード装着部と、カード装着部からＳＩＭカードの外れを制限するカードロック部品とを備える電子機器がある（例えば、特許文献２参照）。
【先行技術文献】
【特許文献】
【０００４】
【特許文献１】特開２０１１−１６５３４９号公報
【特許文献２】特開２００８−２８９０６３号公報
【発明の概要】
【発明が解決しようとする課題】
【０００５】
ところで、電子機器にバッテリロック部品及びカードロック部品を設けることが考えられる。
【０００６】
しかしながら、電子機器にバッテリロック部品及びカードロック部品の両方を設けると、電子部品の部品点数が増加する。
【０００７】
本願が開示する技術は、一つの側面として、電子機器の部品点数を低減することを目的とする。
【課題を解決するための手段】
【０００８】
本願が開示する技術では、電子機器は、筐体と、バッテリ装着部と、バッテリロック部品と、カード装着部と、カードロック部とを備える。バッテリ装着部は、筐体に設けられ、バッテリが着脱される。バッテリロック部品は、筐体に設けられ、バッテリ又はバッテリを覆うバッテリカバーをバッテリ装着部に拘束するロック状態と、当該拘束を解除するアンロック状態とに変移される。カード装着部は、筐体に設けられ、カードが着脱される。カードロック部は、バッテリロック部品に設けられ、ロック状態においてカード装着部からのカードの外れを制限し、アンロック状態においてカード装着部からのカードの外れを許容する。
【発明の効果】
【０００９】
本願が開示する技術によれば、一つの側面として、電子機器の部品点数を低減することができる。
【図面の簡単な説明】
【００１０】
【図１】図１は、一実施形態に係る電子機器を、上側から見た斜視図である。
【図２】図２は、一実施形態に係る電子機器を、下側から見た斜視図である。
【図３】図３は、図２に示される本体装置の分解斜視図である。
【図４】図４は、図３に示されるバッテリ及びバッテリ装着部を示す一部拡大斜視図である。
【図５】図５は、図３に示されるバッテリ装着部を示す一部拡大斜視図である。
【図６】図６は、図３に示されるバッテリロックレバーを示す拡大斜視図である。
【図７】図７は、図５に示されるバッテリ装着部のロック開口を示す一部拡大斜視図である。
【図８】図８は、バッテリの被係合部にバッテリロックレバーの係合部が係合された状態を示す図７の８−８線断面図である。
【図９】図９は、図３に示される操作ロック部品を示す平面図である。
【図１０】図１０は、カードコネクタからトレーが引き出された状態を示す斜視図である。
【図１１】図１１は、図７に示されるバッテリ装着部の引出し口を示す一部拡大斜視図である。
【図１２Ａ】図１２Ａは、トレーの端部にバッテリロックレバーのカードロック部が係合されたロック状態を示す平面図である。
【図１２Ｂ】図１２Ｂは、トレーの端部からバッテリロックレバーのカードロック部が外れたアンロック状態を示す平面図である。
【図１２Ｃ】図１２Ｃは、バッテリ装着部の引出し口からトレーが引き出された状態を示す平面図である。
【発明を実施するための形態】
【００１１】
以下、本願が開示する技術の一実施形態について説明する。
【００１２】
（電子機器）
図１及び図２に示されるように、本実施形態に係る電子機器１０は、例えば、ノート型パーソナルコンピュータとされる。この電子機器１０は、表示装置１２と、本体装置２０とを備える。表示装置１２には、例えば、図示しない液晶表示器が設けられる。この表示装置１２は、本体装置２０に回動可能に連結される。
【００１３】
（本体装置）
図３に示されるように、本体装置２０は、筐体２２と、プリント基板２８と、バッテリ４０とを有する。なお、各図に適宜示される矢印Ｗは、本体装置２０（電子機器１０）の幅方向を示す。また、矢印Ｄは、本体装置２０（電子機器１０）の奥行方向（前後方向）を示す。さらに、矢印Ｕは、本体装置２０（電子機器１０）の高さ方向（上下方向）の上側を示す。
【００１４】
筐体２２は、薄型の箱状に形成される。この筐体２２は、本体装置２０の高さ方向（矢印Ｕ方向）に分割されるアッパケース２４及びロアケース２６を有する。アッパケース２４は、筐体２２の上面側に配置される。一方、ロアケース２６は、筐体２２の下面側に配置される。この筐体２２の内部には、プリント基板２８が収容される。
【００１５】
プリント基板２８は、厚み方向を筐体２２の高さ方向として筐体２２に収容される。このプリント基板２８には、ＣＰＵ及びメモリ等の各種の電子部品が実装される。また、プリント基板２８には、後述するカードコネクタ８０が実装される。
【００１６】
ロアケース２６は、アッパケース２４側が開口された薄型の箱状に形成される。このロアケース２６は、下壁部２６Ｌ及び側壁部２６Ｓを有する。下壁部２６Ｌは、筐体２２の下面を形成する。また、下壁部２６Ｌは、プリント基板２８と対向する。この下壁部２６Ｌには、側壁部２６Ｓが設けられる。側壁部２６Ｓは、下壁部２６Ｌの外周部からアッパケース２４側へ延出される。
【００１７】
（バッテリ装着部）
ロアケース２６の下壁部２６Ｌには、バッテリ４０が装着（収容）される凹状のバッテリ装着部３０が形成される。バッテリ装着部３０は、筐体２２を内側へ凹ませることにより形成される。このバッテリ装着部３０は、底壁部３２及び内側壁部３４を有する。
【００１８】
底壁部３２は、矩形状に形成される。この底壁部３２には、バッテリ装着部３０にバッテリ４０が装着された状態で、バッテリ４０の厚み方向の一方側の面４０Ａが対向される。また、底壁部３２には、内側壁部３４が設けられる。内側壁部３４は、底壁部３２の外周部からロアケース２６の下壁部２６Ｌ側へ延出される。この内側壁部３４は、底壁部３２の外周部に沿って環状に形成される。
【００１９】
バッテリ装着部３０は、ロアケース２６の下壁部２６Ｌを開口する装着口３６（図４参照）を有する。装着口３６は、矩形状に形成される。この装着口３６を介して、バッテリ装着部３０にバッテリ４０が装着（収容）される。
【００２０】
（バッテリ）
バッテリ４０は、扁平な直方体状に形成される。また、バッテリ４０は、例えば、二次電池とされる。このバッテリ４０は、厚み方向の他方側の面４０Ｂが筐体２２（装着口３６）から露出された状態で、バッテリ装着部３０に装着される。つまり、本実施形態のバッテリ装着部３０には、バッテリ４０を覆うバッテリカバーが取り付けられない。
【００２１】
バッテリ４０の短手方向の一端部には、複数のフック部４２が設けられる。複数のフック部４２は、バッテリ４０の一端部から爪状に突出される。これらのフック部４２は、バッテリ装着部３０の短手方向の一方側の内側壁部３４Ａに形成された図示しない取付孔に引っ掛けられる。
【００２２】
一方、図４に示されるように、バッテリ４０の短手方向の他端部には、複数の被係合部４４が設けられる。複数の被係合部４４は、バッテリ４０の他端部から爪状に突出される。これらの被係合部４４には、後述するバッテリロックレバー５０の係合部５８が解除可能に係合される。
【００２３】
（バッテリロックレバー）
図５に示されるように、筐体２２には、バッテリロックレバー５０が収容される。このバッテリロックレバー５０は、操作者によって操作されることにより、バッテリ４０をバッテリ装着部３０に拘束するロック状態と、バッテリ４０の拘束を解除するアンロック状態とに変移される（切り替えられる）。なお、バッテリロックレバー５０は、バッテリロック部品の一例である。
【００２４】
バッテリロックレバー５０は、バッテリ装着部３０の外周部に沿って配置される。より具体的には、バッテリロックレバー５０は、バッテリ装着部３０の短手方向の他方側の内側壁部３４Ｂに沿って配置される。
【００２５】
図６に示されるように、バッテリロックレバー５０は、レバー本体部５２と、操作部５４と、複数の係合部５８と、カードロック部６６とを有する。レバー本体部５２は、前述したバッテリ装着部３０の他方側の内側壁部３４Ｂに沿って配置される。また、レバー本体部５２は、内側壁部３４Ｂに沿って移動可能（スライド可能）とされる。このレバー本体部５２の長手方向の一端部には、操作部５４が設けられる。なお、レバー本体部５２は、ロック部品本体部の一例である。
【００２６】
図５に示されるように、操作部５４は、ボタン状に形成される。この操作部５４は、ロアケース２６の下壁部２６Ｌに形成された操作開口５６から露出される。これにより、操作者が、操作部５４を操作可能とされる。また、操作開口５６は、バッテリロックレバー５０の移動方向に延びる長孔とされる。これにより、操作部５４が、操作開口５６内においてバッテリロックレバー５０の移動方向に移動可能とされる。なお、以下では、バッテリロックレバー５０の移動方向（矢印Ｗ方向）をレバー移動方向という。
【００２７】
レバー本体部５２の長手方向の中間部には、複数の係合部５８が設けられる。各係合部５８は、レバー本体部５２からバッテリ装着部３０の内側壁部３４Ｂ側へ突起状に突出される。図７に示されるように、各係合部５８は、バッテリ装着部３０の内側壁部３４Ｂに形成された複数のロック開口６０にそれぞれ挿入される。ロック開口６０は、レバー移動方向に延びる長孔とされる。これにより、係合部５８が、ロック開口６０内においてレバー移動方向に移動可能とされる。
【００２８】
ロック開口６０における底壁部３２側で、かつ、後述する引出し口９２と反対側には、段部６２が形成される。この段部６２上には、バッテリロックレバー５０のアンロック状態において、実線で示されるように係合部５８が配置される。
【００２９】
段部６２に対するカードコネクタ８０側には、バッテリ４０の被係合部４４が配置される被係合部用スペース６３が形成される。この被係合部用スペース６３上には、バッテリロックレバー５０のロック状態において、二点鎖線で示されるように、係合部５８が配置される。
【００３０】
また、図８に示されるように、バッテリ装着部３０にバッテリ４０が装着された状態で、かつ、バッテリロックレバー５０のロック状態では、バッテリ４０の被係合部４４に対して、係合部５８がバッテリ装着部３０の装着口３６側に配置される。これにより、被係合部４４に係合部５８が係合され、バッテリ４０がバッテリ装着部３０に拘束される。
【００３１】
（操作ロック部品）
図５に示されるように、筐体２２には、操作ロック部品７０が収容される。この操作ロック部品７０は、バッテリロックレバー５０のレバー移動方向の移動を制限し、例えば、操作者によるバッテリロックレバー５０の誤操作を抑制する部品とされる。
【００３２】
図９に示されるように、操作ロック部品７０は、ロック本体部７２と、操作部７６とを有する。ロック本体部７２は、バッテリロックレバー５０のレバー本体部５２に対して、バッテリ装着部３０と反対側（矢印Ｋ側）に配置される。このロック本体部７２は、レバー移動方向と交差する方向（矢印Ｄ方向）に弾性変形可能とされる。なお、本実施形態のロック本体部７２は、レバー移動方向と直交する方向に弾性変形可能とされる。
【００３３】
ロック本体部７２には、爪部７４が設けられる。一方、レバー本体部５２におけるロック本体部７２側には、歯部６４が形成される。これらの歯部６４の何れかに爪部７４が係止されることにより、ロック状態からアンロック状態へ向かうバッテリロックレバー５０の移動が制限される。
【００３４】
操作部７６は、リブ状に形成される。この操作部７６は、図５に示されるように、ロアケース２６の下壁部２６Ｌに形成された操作開口７８から露出される。これにより、操作者が、操作部７６を操作可能とされる。
【００３５】
ここで、図９に示されるように、操作者が、操作部７６に指を引っ掛け、二点鎖線で示されるように、ロック本体部７２をバッテリロックレバー５０から離間する方向（矢印Ｋ方向）へ弾性変形させると、爪部７４と歯部６４との係止状態が解除される。これにより、ロック状態からアンロック状態へ向かうバッテリロックレバー５０の移動が許容される。なお、操作者が、操作部７６から指を離すと、ロック本体部７２の弾性変形が復元し、歯部６４に爪部７４が係止可能になる。
【００３６】
（カードコネクタ）
図１０に示されるように、カードコネクタ８０は、薄型の箱状に形成される。このカードコネクタ８０の一端部には、挿入口８２が形成される。挿入口８２は、矩形状の開口とされる。この挿入口８２には、トレー８４が引き出し可能に挿入される。
【００３７】
トレー８４は、矩形の枠状に形成される。このトレー８４の中央部は、ＳＩＭカード９０が載せられるカード収容部８４Ａが形成される。また、トレー８４の引き出し側（矢印Ｐ側）の端部８４Ｅには、フック状の把持部８６が設けられる。この把持部８６は、操作者がカードコネクタ８０からＳＩＭカード９０を引き出す際に、操作者によって把持される。なお、カードコネクタ８０は、カード装着部の一例である。
【００３８】
ＳＩＭカード９０は、例えば、電話番号又は通信用のＩＤ番号等が記録された電子カート（ＩＣカード）とされる。このＳＩＭカード９０は、トレー８４のカード収容部８４Ａに収容される。この状態で、トレー８４がカードコネクタ８０の挿入口８２に挿入されることにより、ＳＩＭカード９０がカードコネクタ８０に装着される。一方、カードコネクタ８０の挿入口８２からトレー８４が引き出されると、カードコネクタ８０からＳＩＭカード９０が外される（取り外される）。
【００３９】
なお、ＳＩＭとは、Subscriber Identity Moduleの略称である。また、ＳＩＭカードは、ＩＣカード及びカードの一例である。
【００４０】
図１１及び図１２Ａに示されるように、カードコネクタ８０は、バッテリロックレバー５０の長手方向の他方側に配置される。また、カードコネクタ８０は、バッテリ装着部３０の角部に隣接して配置される。このカードコネクタ８０は、挿入口８２（図１０参照）をバッテリ装着部３０の内側壁部３４Ｂ側に向けた状態で配置される。なお、図１１及び図１２Ａでは、バッテリ４０の図示が省略されている。
【００４１】
バッテリ装着部３０の内側壁部３４Ｂには、挿入口８２に通じる引出し口９２が形成される。この引出し口９２を介して、カードコネクタ８０の挿入口８２にトレー８４が挿入される。また、カードコネクタ８０の挿入口８２に挿入されたトレー８４は、引出し口９２を介してバッテリ装着部３０に引き出される。なお、引出し口９２は、バッテリ装着部３０にバッテリ４０が装着された状態で、バッテリ４０と対向する。
【００４２】
バッテリ装着部３０の角部には、引出しスペース３８が形成される。引出しスペース３８は、底壁部３２を凹ませることにより形成される。この引出しスペース３８には、引出し口９２からバッテリ装着部３０に引き出されたトレー８４が配置される。また、引出しスペース３８は、バッテリ装着部３０にバッテリ４０が装着された状態で、バッテリ４０によって覆われる。
【００４３】
（カードロック部）
図６に示されるように、バッテリロックレバー５０の長手方向の他端部には、カードロック部６６が設けられる。カードロック部６６は、カードコネクタ８０からのトレー８４の外れを制限する。
【００４４】
具体的には、図１２Ａに示されるように、バッテリロックレバー５０は、カードコネクタ８０に対するトレー８４の着脱方向（矢印Ｄ方向）に対して交差する方向で、かつ、トレー８４の横幅方向（矢印Ｗ方向）に移動可能とされる。つまり、バッテリロックレバー５０のレバー移動方向は、カードコネクタ８０に対するトレー８４の着脱方向に対して交差する方向で、かつ、トレー８４の横幅方向とされる。なお、本実施形態のバッテリロックレバー５０のレバー移動方向は、カードコネクタ８０に対するトレー８４の着脱方向に対して直交する方向とされる。
【００４５】
バッテリロックレバー５０の長手方向の他端部には、弾性片部６８が設けられる。弾性片部６８は、バッテリ装着部３０の内側壁部３４Ｂに沿って配置される。また、弾性片部６８は、レバー本体部５２に片持ち状態で支持される。さらに、弾性片部６８は、カードコネクタ８０に対するトレー８４の着脱方向（矢印Ｄ方向）に弾性変形可能とされる。
【００４６】
弾性片部６８の先端部は、自由端部とされる。この弾性片部６８の自由端部には、カードロック部６６が設けられる。カードロック部６６は、弾性片部６８の先端部から、カードコネクタ８０側へ突起状に突出される。
【００４７】
ここで、図１２Ａに示されるように、弾性片部６８及びカードロック部６６は、ロック状態において、カードコネクタ８０の挿入口８２及びトレー８４の端部８４Ｅの前側に配置される。換言すると、弾性片部６８及びカードロック部６６は、ロック状態において、バッテリ装着部３０の引出しスペース３８に配置される。この状態では、カードロック部６６は、トレー８４の端部８４Ｅに係合される。これにより、カードコネクタ８０からトレー８４の外れ（引き出し）が制限される。
【００４８】
一方、弾性片部６８及びカードロック部６６は、アンロック状態において、カードコネクタ８０の挿入口８２及びトレー８４の端部８４Ｅの前側から外れた位置に配置される。換言すると、弾性片部６８及びカードロック部６６は、アンロック状態において、バッテリ装着部３０の引出しスペース３８から外れた位置に配置される。この状態では、カードロック部６６は、トレー８４の端部８４Ｅから離間される。これにより、カードコネクタ８０の挿入口８２からトレー８４の外れ（引き出し）が許容される。
【００４９】
カードロック部６６は、傾斜面６６Ａを有する。傾斜面６６Ａは、弾性片部６８の基端側（レバー本体部５２側）から先端側へ向かうに従って、トレー８４の引き出し側（矢印Ｐ側）へ傾斜される。
【００５０】
ここで、傾斜面６６Ａは、バッテリロックレバー５０のアンロック状態からロック状態への変移に伴って、トレー８４の端部８４Ｅに接触される。そして、傾斜面６６Ａによってカードロック部６６がトレー８４の端部８４Ｅに乗り上げられると、弾性片部６８が引き出し側（矢印Ｐ側）へ弾性変形される。この状態では、弾性片部６８の復元力によって、カードロック部６６がトレー８４の端部８４Ｅに圧接される。
【００５１】
（ＳＩＭカードの着脱方法）
次に、カードコネクタ８０に対するＳＩＭカード９０の着脱方法の一例について説明する。
【００５２】
（カードコネクタからのＳＩＭカードの取り外し方法）
先ず、カードコネクタ８０からのＳＩＭカード９０の取り外し方法について説明する。カードコネクタ８０からＳＩＭカード９０の取り外す際には、操作者は、先ず、バッテリ装着部３０からバッテリ４０を取り外す。
【００５３】
具体的には、図２には、バッテリ装着部３０にバッテリ４０が装着され、かつ、バッテリロックレバー５０がアンロック状態からロック状態に変移された状態が示される。この状態では、操作ロック部品７０によって、ロック状態からアンロック状態へ向かうバッテリロックレバー５０の移動が制限される。
【００５４】
この状態から、操作者は、先ず、操作ロック部品７０の操作部７６に指を掛け、図９に示されるように、ロック本体部７２をバッテリロックレバー５０から離間する方向（矢印Ｋ方向）へ弾性変形させる。これにより、バッテリロックレバー５０の歯部６４に対する操作ロック部品７０の爪部７４の係止状態が解除され、バッテリロックレバー５０がロック状態からアンロック状態へ変移可能（移動可能）となる。
【００５５】
次に、操作者は、ロック本体部７２を弾性変形させた状態で、バッテリロックレバー５０の操作部５４に指を掛け、当該操作部５４をカードコネクタ８０と反対側へ移動させる。これにより、バッテリロックレバー５０が、ロック状態からアンロック状態に変移される。
【００５６】
図７に示されるように、アンロック状態では、バッテリロックレバー５０の係合部５８が、ロック開口６０の段部６２上に配置され、当該係合部５８とバッテリ４０の被係合部４４との係合状態が解除される。これにより、バッテリ装着部３０からバッテリ４０が取り外し可能となる。
【００５７】
次に、図１２Ｂに示されるように、操作者は、バッテリ装着部３０からバッテリ４０を取り外す。これにより、バッテリ４０に覆われていたトレー８４の把持部８６が露出される。また、バッテリロックレバー５０がロック状態からアンロック状態に変移されると、トレー８４の端部８４Ｅからカードロック部６６が離間する。これにより、カードロック部６６によるトレー８４の外れの制限が解除される。
【００５８】
次に、操作者は、トレー８４の把持部８６を把持し、図１２Ｃに示されるように、カードコネクタ８０の挿入口８２から引出し口９２を介してトレー８４を引出しスペース３８に引き出す。これにより、図１０に示されるように、トレー８４からＳＩＭカード９０を取り外し可能となる。
【００５９】
（カードコネクタに対するＳＩＭカードの装着方法）
次に、カードコネクタ８０に対するＳＩＭカード９０の装着方法について説明する。図１０には、カードコネクタ８０からトレー８４が引き出された状態が示される。この状態で、操作者は、トレー８４のカード収容部８４ＡにＳＩＭカード９０を収容する。
【００６０】
次に、図１２Ｂに示されるように、操作者は、引出し口９２を介して、カードコネクタ８０の挿入口８２（図１０参照）にトレー８４を収容する。これにより、カードコネクタ８０にＳＩＭカード９０が電気的に接続される。次に、操作者は、バッテリ装着部３０にバッテリ４０を収容する。
【００６１】
具体的には、図３に示されるように、操作者は、先ず、バッテリ４０の一端部に設けられた複数のフック部４２を、バッテリ装着部３０の一方側の内側壁部３４Ａの取付孔（図示省略）に引っ掛けた状態で、バッテリ４０をバッテリ装着部３０に収容する。これにより、バッテリ４０によって引出しスペース３８（図７参照）が覆われる。また、図４に示されるように、バッテリ４０の他端部側に設けられた複数の被係合部４４（図４参照）が、バッテリ装着部３０の他方側の内側壁部３４Ｂに形成された被係合部用スペース６３（図７参照）に配置される。
【００６２】
次に、操作者は、バッテリロックレバー５０の操作部５４に指を掛け、当該操作部５４をカードコネクタ８０側へ移動させる。これにより、バッテリロックレバー５０が、アンロック状態からロック状態に変移される。
【００６３】
図８に示されるように、ロック状態では、バッテリ４０の被係合部４４に対するバッテリ装着部３０の装着口３６側に係合部５８が配置され、被係合部４４に係合部５８が係合される。これにより、バッテリ装着部３０からバッテリ４０の外れが抑制される。
【００６４】
また、図１２Ａに示されるように、バッテリロックレバー５０がアンロック状態からロック状態に変移されると、カードコネクタ８０の挿入口８２の前にカードロック部６６が配置され、トレー８４の端部８４Ｅにカードロック部６６が係合される。
【００６５】
この際、カードロック部６６の傾斜面６６Ａがトレー８４の端部８４Ｅに接触し、カードロック部６６がトレー８４の端部８４Ｅに乗り上げられる。これにより、弾性片部６８がトレー８４の引き出し側（矢印Ｐ側）に弾性変形する。そして、弾性変形された弾性片部６８によって、カードロック部６６がトレー８４の端部８４Ｅに圧接される。このカードロック部６６によって、カードコネクタ８０からのトレー８４の外れが制限される。
【００６６】
さらに、バッテリロックレバー５０がアンロック状態からロック状態に変移されると、図９に実線で示されるように、バッテリロックレバー５０の歯部６４に操作ロック部品７０の爪部７４が係止される。これにより、操作ロック部品７０によって、バッテリロックレバー５０のロック状態からアンロック状態への変移（移動）が制限される。
【００６７】
（効果）
次に、本実施形態の効果について説明する。
【００６８】
本実施形態に係る電子機器１０によれば、図６に示されるように、バッテリロックレバー５０には、カードコネクタ８０からのトレー８４の外れを制限するカードロック部６６が設けられる。これにより、本実施形態では、バッテリロックレバー５０とは別に、カードコネクタ８０からのトレー８４の外れを制限する部品が筐体２２に設けられる場合と比較して、電子機器１０の部品点数を低減することができる。
【００６９】
また、本実施形態では、図１１に示されるように、バッテリ装着部３０の内側壁部３４Ｂに、カードコネクタ８０からトレー８４を引き出す引出し口９２が形成される。この引出し口９２は、バッテリ装着部３０にバッテリ４０が装着された状態で、バッテリ４０によって覆われる。さらに、バッテリ装着部３０にバッテリ４０が装着された状態では、トレー８４の引出しスペース３８がバッテリ４０によって覆われる。
【００７０】
これにより、バッテリ装着部３０にバッテリ４０が装着された状態、すなわち電子機器１０に電源が入った状態で、カードコネクタ８０にＳＩＭカード９０が着脱されることが防止される。したがって、ＳＩＭカード９０の破損が抑制される。
【００７１】
また、バッテリロックレバー５０には、弾性片部６８が設けられる。弾性片部６８は、ロック状態において、カードロック部６６をトレー８４の端部８４Ｅに圧接する。これにより、カードコネクタ８０に対するトレー８４の僅かな移動も制限される。したがって、カードコネクタ８０とＳＩＭカード９０との接触不良等が抑制される。
【００７２】
さらに、カードロック部６６には、傾斜面６６Ａが設けられる。これにより、バッテリロックレバー５０がアンロック状態からロック状態へ変移されたときに、傾斜面６６Ａによってカードロック部６６がトレー８４の端部８４Ｅに乗り上げられる。そのため、カードロック部６６がトレー８４の端部８４Ｅに引っ掛かることが抑制される。したがって、バッテリロックレバー５０の操作が容易となる。
【００７３】
しかも、筐体２２には、バッテリロックレバー５０のレバー移動方向の移動を制限する操作ロック部品７０が設けられる。これにより、操作者が意図せずに、バッテリロックレバー５０がロック状態からアンロック状態に変移されることが抑制される。この結果、操作者の意図に反して、バッテリ装着部３０からバッテリ４０が外れることが抑制される。
【００７４】
（変形例）
次に、上記実施形態の変形例について説明する。
【００７５】
上記実施形態では、バッテリロックレバー５０に、弾性片部６８が設けられる。しかし、弾性片部６８は、省略されても良い。
【００７６】
また、上記実施形態では、筐体２２に操作ロック部品７０が設けられる。しかし、操作ロック部品７０は、省略されても良い。
【００７７】
また、上記実施形態のバッテリ装着部３０には、バッテリ４０を覆うバッテリカバーが取り付けられても良い。この場合、バッテリカバーに設けられた被係合部に、バッテリロックレバー５０の係合部が係合される。また、カード装着部の形状は、凹状に限らず、適宜変更可能である。
【００７８】
また、上記実施形態では、カード装着部が、トレー８４付きのカードコネクタ８０とされる。しかし、カード装着部は、トレーなしのカードコネクタとされても良い。この場合、カードコネクタの挿入口に、ＳＩＭカード等のカードが直接挿入される。
【００７９】
また、カード装着部は、メモリカード等のカードが装着されるカードコネクタであっても良い。また、カードとは、ＳＩＭカード等のＩＣカード、及びメモリカードのように、板状の電子部品を意味する。
【００８０】
また、上記実施形態では、バッテリ装着部３０の内側壁部３４Ｂに引出し口９２が形成される。しかし、引出し口は、バッテリ装着部３０の底壁部３２に形成されても良い。
【００８１】
また、上記実施形態では、トレー８４の横幅方向にバッテリロックレバー５０が移動される。しかし、バッテリロックレバー５０は、例えば、トレーの厚み方向に移動されても良い。
【００８２】
また、上記実施形態は、ノート型パーソナルコンピュータに限らず、バッテリ及びカードが着脱される種々の電子機器に適用可能である。
【００８３】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００８４】
なお、以上の実施形態に関し、さらに以下の付記を開示する。
【００８５】
（付記１）
筐体と、
前記筐体に設けられ、バッテリが着脱されるバッテリ装着部と、
前記筐体に設けられ、前記バッテリ又は前記バッテリを覆うバッテリカバーを前記バッテリ装着部に拘束するロック状態と、前記拘束を解除するアンロック状態とに変移されるバッテリロック部品と、
前記筐体に設けられ、カードが着脱されるカード装着部と、
前記バッテリロック部品に設けられ、前記ロック状態において前記カード装着部からの前記カードの外れを制限し、前記アンロック状態において前記カード装着部からの前記カードの外れを許容するカードロック部と、
を備える電子機器。
（付記２）
前記カード装着部は、前記カードが挿入される挿入口を有し、
前記バッテリ装着部は、前記挿入口に通じる引出し口を有する、
付記１に記載の電子機器。
（付記３）
前記引出し口は、前記バッテリ装着部に前記バッテリが装着された状態で、該バッテリと対向する、
付記２に記載の電子機器。
（付記４）
前記カードロック部は、前記ロック状態において前記挿入口の前に配置され、前記アンロック状態において前記挿入口の前から外れる、
付記２又は付記３に記載の電子機器。
（付記５）
前記バッテリ装着部は、
前記バッテリの厚み方向の一方側の面と対向する底壁部と、
前記底壁部の外周部に設けられ、前記バッテリを囲む内側壁部と、
を有し、
前記引出し口は、前記内側壁部に設けられる、
付記２〜付記４の何れか１つに記載の電子機器。
（付記６）
前記カードは、前記カード装着部の前記挿入口から前記引出し口を介して前記バッテリ装着部に引き出される、
付記２〜付記５の何れか１つに記載の電子機器。
（付記７）
前記バッテリ装着部は、前記引出し口から引き出された前記カードが配置される引出しスペースを有する、
付記２〜付記６の何れか１つに記載の電子機器。
（付記８）
前記引出しスペースは、前記バッテリ装着部に前記バッテリが装着された状態で、該バッテリによって覆われる、
付記７に記載の電子機器。
（付記９）
前記バッテリロック部品は、前記バッテリ装着部に対する移動に伴って、前記ロック状態と前記アンロック状態とに変移される、
付記１〜付記８の何れか１つに記載の電子機器。
（付記１０）
前記カードロック部は、前記カード装着部に対する前記カードの着脱方向と交差する方向に移動する、
付記１〜付記９の何れか１つに記載の電子機器。
（付記１１）
前記前記カードロック部は、前記カード装着部に装着された前記カードの横幅方向に移動する、
付記１０に記載の電子機器。
（付記１２）
前記カードロック部は、前記ロック状態において前記カード、又は前記カードが載せられるトレーに係合され、前記アンロック状態において前記カード又は前記トレーから離間する、
付記１〜付記１１の何れか１つに記載の電子機器。
（付記１３）
前記カードロック部は、前記アンロック状態から前記ロック状態への変移に伴って、該カードロック部を前記カード又は前記トレーに乗り上げさせる傾斜面を有する、
付記１２に記載の電子機器。
（付記１４）
前記バッテリロック部品は、前記カードロック部を支持するとともに、該カードロック部が前記カード又は前記トレーに係合された状態で弾性変形される弾性片部を有する、
付記１２又は付記１３に記載の電子機器。
（付記１５）
前記弾性片部は、弾性変形された状態で前記カードロック部を前記カード又は前記トレーに圧接する、
付記１４に記載の電子機器。
（付記１６）
前記バッテリ又は前記バッテリカバーは、被係合部を有し、
前記バッテリロック部品は、前記ロック状態において前記被係合部に係合され、前記アンロック状態において前記被係合部から離間する係合部を有する、
付記１〜付記１５の何れか１つに記載の電子機器。
（付記１７）
前記バッテリ装着部は、前記筐体を開口する装着口を有し、
前記係合部は、前記ロック状態において、前記被係合部に対して前記装着口側に配置される、
付記１６に記載の電子機器。
（付記１８）
前記バッテリロック部品は、
前記バッテリ装着部の外周部に沿って移動するロック部品本体部と、
前記ロック部品本体部に設けられ、前記筐体から露出する操作部と、
を有する、
付記１〜付記１７の何れか１つに記載の電子機器。
（付記１９）
前記カードは、ＩＣカード又はメモリカードとされる、
付記１〜付記１８の何れか１つに記載の電子機器。
（付記２０）
前記カードは、ＳＩＭカードとされる、
付記１〜付記１９の何れか１つに記載の電子機器。
【符号の説明】
【００８６】
１０    電子機器
２２    筐体
３０    バッテリ装着部
３２    底壁部（バッテリ装着部の底壁部の一例）
３４Ｂ  内側壁部（バッテリ装着部の一例）
３６    装着口
３８    引出しスペース
４０    バッテリ
４０Ａ  面（バッテリの厚み方向の一方側の面の一例）
４４    被係合部
５０    バッテリロックレバー（バッテリロック部品の一例）
５２    レバー本体部（ロック部品本体部の一例）
５４    操作部
５８    係合部
６６    カードロック部
６６Ａ  傾斜面（カードロック部の傾斜面の一例）
６８    弾性片部
８０    カードコネクタ（カード装着部）
８２    挿入口
８４    トレー
９０    ＳＩＭカード（カードの一例）
９２    引出し口
【図１】
2019036162.tif 000003
【図２】
2019036162.tif 000004
【図３】
2019036162.tif 000005
【図４】
2019036162.tif 000006
【図５】
2019036162.tif 000007
【図６】
2019036162.tif 000008
【図７】
2019036162.tif 000009
【図８】
2019036162.tif 000010
【図９】
2019036162.tif 000011
【図１０】
2019036162.tif 000012
【図１１】
2019036162.tif 000013
【図１２Ａ】
2019036162.tif 000014
【図１２Ｂ】
2019036162.tif 000015
【図１２Ｃ】
2019036162.tif 000016